(57)【要約】【課題】吸着パイプの交換時に生じるねじ締め工具の破損を低減することを目的とする。【解決手段】ねじを保持可能な吸着パイプ20を適宜脱着可能なパイプ軸11と、このパイプ軸11の一端に嵌合可能なガイド軸12とからなり、前記吸着パイプ20、前記パイプ軸11、前記ガイド軸12を連通する通過穴14を形成したねじ締め工具10において、パイプ軸11およびガイド軸12のそれぞれの外周から中心に向かって挿入穴11a,12aを形成し、これら挿入穴11a,12aにピン13を挿入し、パイプ軸11およびガイド軸12を一体に固定してなる。これにより、吸着パイプ20を交換する際、吸着パイプ20に緩め方向のトルクを負荷しても、このトルクを前記ピン13が受けるため、前記パイプ軸11および前記ガイド軸12を一体の状態に保つことができる。よって、吸着パイプ20の交換時にガイド軸12からパイプ軸11が脱落することなく、ねじ締め工具10の破損を低減できる。【選択図】図１
2013154434.tif 000002
【特許請求の範囲】
【請求項１】
ねじを内包可能な中空軸からなる吸着パイプを適宜脱着可能なパイプ軸と、このパイプ軸の一端に嵌合可能な筒状のガイド軸と、から構成されるとともに、前記吸着パイプ、前記パイプ軸、前記ガイド軸の軸線を連通する通過穴を形成し、この通過穴に前記ねじと係合可能なドライバビットを内挿可能なねじ締め工具において、
前記パイプ軸および前記ガイド軸のそれぞれの外周から中心に向かって挿入穴を形成し、これら挿入穴に筒状のピンを挿入し、前記パイプ軸および前記ガイド軸を一体に固定してなることを特徴とするねじ締め工具。
【発明の詳細な説明】
【技術分野】
【０００１】
本発明は、ねじに係合可能なドライバビットを内挿できるねじ締め工具に関する。
【背景技術】
【０００２】
従来のねじ締め工具は、ねじを吸引してワークに締結するエア吸引式自動ねじ締め機（図示せず）に搭載されており、特許文献１に示すものが公知となっている。以下に図２を用いて説明する。従来のねじ締め工具５０は、中空軸からなるパイプ軸５１と、このパイプ軸５１と嵌合する取付穴５２ｂを備えたガイド軸５２とから構成され、前記パイプ軸５１を前記ガイド軸５２の取付穴５２ｂに嵌合させるとともに、この嵌合部を接着あるいは圧入によって前記パイプ軸５１と前記ガイド軸５２とを一体に構成される。また、従来のねじ締め工具５０は、図２に示すように前記パイプ軸５１の先端部は、めねじが形成されており、このめねじには中空の吸着パイプ２０が接続される一方、前記ガイド軸５２には、クッションばね３２が配されている。これらパイプ軸５１、ガイド軸５２、吸着パイプ２０には、前記ねじに係合可能なドライバビット３０と、このドライバビット３０に接続されたビットホルダ３１とが一体となって内挿されており、ドライバビット３０は、その先端が吸着パイプ２０の先端から突出しない位置となるように配されている。なお、前記エア吸引式自動ねじ締め機は、その一例が特公平01-25658号公報および再公表特許第WO83/02246号公報に記載されているため、詳細な説明は省略する。
【０００３】
次に、ねじ締め時において、前記ねじ締め工具５０は、前記ねじが前記吸着パイプ２０の先端から吸引されると、前記ドライバビット３０および前記ビットホルダ３１とともに下降し、さらに下降を続けると前記吸着パイプ２０の先端がワークに当接する。これにより、前記ドライバビット３０および前記ビットホルダ３１は、前記クッションばね３２の作用を受けて下降し、前記吸着パイプ２０の先端側へ移動して、ドライバビット３０がワークに前記ねじを螺入する。
【先行技術文献】
【特許文献】
【０００４】
【特許文献１】特開2008-055561号公報
【発明の概要】
【発明が解決しようとする課題】
【０００５】
しかしながら、毎回のねじ締め時において、前記吸着パイプ２０は、ワークと当接するため、摩耗あるいは破損し易く頻繁に交換される。前記吸着パイプ２０を交換する場合は、スパナ等の工具を吸着パイプ２０の外周に掛け緩める方向に回転させる。このとき、吸着パイプ２０およびこの吸着パイプ２０を螺入された前記パイプ軸５１には、所定のトルクが付与され、このトルクによって上述の接着あるいは圧入が解かれるため、前記パイプ軸５１が前記ガイド軸５２から脱落する。このように、従来のねじ締め工具１０は、前記吸着パイプ２０の交換時に破損する問題があった。
【課題を解決するための手段】
【０００６】
本発明は上記課題に鑑みて創成されたものであり、前記吸着パイプの交換時に生じる破損を低減できるねじ締め工具の提供を目的とする。この目的を達成するために、本発明は、ねじを内包可能な中空軸からなる吸着パイプを適宜脱着可能なパイプ軸と、このパイプ軸の一端に嵌合可能な筒状のガイド軸と、から構成されるとともに、前記吸着パイプ、前記パイプ軸、前記ガイド軸の軸線を連通する通過穴を形成し、この通過穴に前記ねじと係合可能なドライバビットを内挿可能なねじ締め工具において、前記パイプ軸および前記ガイド軸のそれぞれの外周から中心に向かって挿入穴を形成し、これら挿入穴に筒状のピンを挿入し、前記パイプ軸および前記ガイド軸を一体に固定してなることを特徴とする。
【発明の効果】
【０００７】
本発明のねじ締め工具１０は、前記吸着パイプ２０にトルクを負荷しても、このトルクを前記ピン１３が受けるため、前記パイプ軸１１と前記ガイド軸１２とが一体に固定された状態を保ち続けることができる。これにより、前記吸着パイプ２０を緩める際、前記パイプ軸１１が前記ガイド軸１２から離脱することもない。したがって、本発明のねじ締め工具１０は、前記吸着パイプ２０の交換時に破損することなく、容易に吸着パイプ２０を交換できる利点がある。
【図面の簡単な説明】
【０００８】
【図１】本発明に係わる一実施例の一部切欠断面図である。
【図２】従来のねじ締め工具の一部切欠断面図である。
【発明を実施するための形態】
【０００９】
以下、本発明のねじ締め工具１０は、ねじを吸引してワークに締結する前記エア吸引式自動ねじ締め機に搭載されており、図１に基づき以下に説明する。ねじ締め工具１０は、中空軸からなるパイプ軸１１と、このパイプ軸１１の上方に位置しパイプ軸１１と嵌合するガイド軸１２と、これらパイプ軸１１およびガイド軸１２に挿通するピン１３とから構成される。
【００１０】
前記パイプ軸１１は、中空軸から構成されており、その一端の中空穴にはめねじ加工が施される一方、他端には軸線と直交する挿入穴１１ａが配設される。前記挿入穴１１ａは、パイプ軸１１の外周から中心に向かって設けられており、後述するピン１３とほぼ同径に加工されている。
【００１１】
前記ガイド軸１２は、前記パイプ軸１１よりも大径からなる中空軸で構成される。また、ガイド軸１２の下部には、取付穴１２ｂが配設され、この取付穴１２ｂの軸線は、前記ガイド軸１２の軸線とほぼ一致しており、この取付穴１２ｂの径は、前記パイプ軸１１の外径にほぼ等しく形成される。一方、ガイド軸１２の上部には、クッションばね３２が配されており、常時ガイド軸１２を下方へ付勢するよう構成されている。また、ガイド軸１２の下方には、ガイド軸１２の軸線に直交しかつガイド軸１２の外周から中心に向かって挿入穴１２ａが配設されており、この挿入穴１２ａは、前記挿入穴１１ａとほぼ同径に設定され前記取付穴１２ｂに達するまで加工されている。
【００１２】
前記ピン１３は、その材質が鋼材からなり、さらに焼き入れ処理が施されている。
【００１３】
前記パイプ軸１１は、その一端が前記ガイド軸１２の取付穴１２ｂへ嵌め込まれるとともに、前記挿入穴１１ａおよび挿入穴１２ａの位置をそれぞれ一致するように組み込まれ、その後、前記ガイド軸１２の外周から前記ピン１３が前記挿入穴１２ａおよび前記挿入穴１１ａに挿入される。このとき、前記ピン１３の外周および前記取付穴１２ｂの内壁面には、嫌気性の接着剤が塗布されているため、所定時間を経過すると前記パイプ軸１１および前記ガイド軸１２、前記ピン１３は、それぞれが一体となって固定され、ねじ締め工具１０としてなる。
【００１４】
また、前記ねじ締め工具１０の先端には、おねじを備えた吸着パイプ２０がねじ込まれて接続される。この吸着パイプ２０および前記ねじ締め工具１０には、これらの軸線に沿って延びる通過穴１４が連通しており、この通過穴１４には、前記ドライバビット３０およびビットホルダ３１とを接続した状態で内挿されている。これらドライバビット３０およびビットホルダ３１のそれぞれの外周と前記通過穴１４の内壁面とには、若干の隙間が設けられており、この隙間に負圧を与えられて前記吸着パイプ２０の先端からねじを吸引できる。
【００１５】
このように構成されたねじ締め工具１０および前記吸着パイプ２０は、ねじ締め時において、前記ねじが前記吸着パイプ２０の先端から吸引されると、前記ドライバビット３０および前記ビットホルダ３１とともに下降し、さらに下降を続けると前記吸着パイプ２０の先端がワークに当接する。これにより、前記ドライバビット３０および前記ビットホルダ３１は、前記クッションばね３２の作用を受けて下降し、前記吸着パイプ２０の先端側へ移動して、ドライバビット３０がワークに前記ねじを螺入する。
【００１６】
ねじ締め時においては、本発明のねじ締め工具１０であっても従来と同様に、前記吸着パイプ２０がワークと当接するため、当接時に生じる衝撃等により吸着パイプ２０の先端部が摩耗したり、破損することには変わりがない。しかし、前記吸着パイプ２０の交換する際、吸着パイプ２０に緩めるトルクを負荷しても、このトルクは、前記ピン１３が前記挿入穴１１ａ，１２ａに挿入され、パイプ軸１１、ガイド軸１２、ピン１３が一体となっているため、従来生じていたパイプ軸１１およびガイド軸１２の接着が解かれることを低減できる。したがって、本発明のねじ締め工具１０は、前記吸着パイプ２０の交換時に頻繁に生じていた前記パイプ軸１１が前記ガイド軸１２から脱落するような破損を低減できる。なお、本実施例において、前記挿入穴１１ａ，１２ａは、それぞれ１箇所としているが、これに限定されるものではなく、例えば放射状に複数配してもよい。
【符号の説明】
【００１７】
１０    ねじ締め工具（本発明）
１１    パイプ軸（本発明）
１１ａ  挿入穴
１２    ガイド軸（本発明）
１２ａ  挿入穴
１２ｂ  取付穴（本発明）
１３    ピン
１４    通過穴
２０    吸着パイプ
３０    ドライバビット
３１    ビットホルダ
３２    クッションばね
５０    ねじ締め工具（従来）
５１    パイプ軸（従来）
５２    ガイド軸（従来）
５２ｂ  取付穴（従来）
【図１】
2013154434.tif 000003
【図２】
2013154434.tif 000004